(57)【要約】【課題】本発明は、いわゆる団扇に類するものであるが、従来の往復運動とは異なり、回転運動により風を起こすものであり、長時間使用しても疲労が少なく、連続した風を起こすことが出来る扇を提供するものである。【解決手段】軸部材の一端に該軸部材の長手方向とほぼ直角な方向の回転軸の周りに回動可能に支持された羽部材を設け、前記軸部材に対する羽部材の開き角度を約９０°とした状態で、軸部材を軽く握り、羽部材を振り回すごとく回転せしめて風を起こす方式のまわし扇である。【選択図】  図３
2005270486.tif 000002
【特許請求の範囲】
【請求項１】
軸部材の一端に該軸部材の長手方向とほぼ直角な方向の回転軸の周りに回動可能に支持された羽部材を設け、前記軸部材に対する羽部材の開き角度を約９０°とした状態で、軸部材を軽く握り、羽部材を振り回すごとく回転せしめて風を起こす方式のまわし扇。
【請求項２】
羽部材の回動軸の方向を軸部材の長手方向に直角な方向に対して５°から２０°の範囲で傾けて設定したことを特徴とする請求項１記載のまわし扇。
【請求項３】
羽部材の軸部材に対する回動運動に緩いブレーキ機能を備えたことを特徴とする請求項１記載のまわし扇。
【発明の詳細な説明】
【技術分野】
【０００１】
本発明は、いわゆる団扇に類するものであるが、従来の往復運動とは異なり、回転運動により風を起こすものであり、長時間使用しても疲労が少なく、連続した風を起こすことが出来る扇を提供するものである。
【背景技術】
【０００２】
これまで主に東洋で広く使用されている団扇、又は扇子は平板を手首を中心に往復捻り運動を行なって風を起こすものである。
【０００３】
従って、風は断続的なものであり、長時間使用すると手首の疲労が著しい。
【発明の開示】
【発明が解決しようとする課題】
【０００４】
本発明は、上記背景の下に成立したものであり、簡単な構造でありながら、手首の小さな角度の振り回し運動で連続した風を起こすことが出来る扇を提供するものである。
【課題を解決するための手段】
【０００５】
本発明の第１の手段は、軸部材の一端に該軸部材の長手方向とほぼ直角な方向の回転軸の周りに回動可能に支持された羽部材を設け、前記軸部材に対する羽部材の開き角度を約９０°とした状態で、軸部材を軽く握り、羽部材を振り回すごとく回転せしめて風を起こす方式のまわし扇を提供するものである。
【０００６】
本発明の第２の手段は、羽部材の回動軸の方向を軸部材の長手方向に直角な方向に対して５°から２０°の範囲で傾けて設定したことを特徴とするまわし扇を提供するものである。  羽部材を回動によって開く方向で軸部材と羽部材のねじれ方向が変化するので右回転用と左回転用の選択が可能である。
【０００７】
本発明の第３の手段は、羽部材の軸部材に対する回動運動に緩いブレーキ機能を備えたことを特徴とするまわし扇を提供するものである。
【発明の効果】
【０００８】
本発明のまわし扇は、上記の手段により軸部材を軽く握り、羽部材を振り回すごとく回転せしめて風を起こすことが出来るものであり、従来の団扇又は扇子による断続した風に比べて清涼感も高まり、手首の動きが小さいので長時間使用しても疲れにくいものであり、又羽部材の回動により不使用時はコンパクトに折りたたむことが出来る。更に、羽部材を回動する方向によって右回転と左回転の両方向の回転が選択できるので、左利きの人にも楽に使用できるものである。又、羽部材の回動運動に軽いブレーキを付加することで、使用時及び不使用時の羽部材の開き角が安定し、不用意な開閉を防止することが出来る。
【発明を実施するための最良の形態】
【０００９】
本発明のまわし扇の構造としては、直径が２ｍｍ程度の弾性金属棒を素材とする軸部材の一端にコイル状の回動支持部を設け、該回動支持部の近傍と軸部材の他端にホルダー部材を回転自在で、軸の長手方向への移動を制限した状態で取り付け、前記コイル状回動支持部にある程度の弾性変形によって嵌合するコイル状嵌合部を有する羽部材をねじ込んである。羽部材の構造は周囲を弾性金属棒で形成し、羽部には紙、プラスチックなどのシート状の膜で形成されている。軸部材のコイル状の回動支持部の中心軸の方向は軸部材の長手方向と直角な方向に対して５°から２０°程度傾いていることが望ましい。
【００１０】
羽部材のコイル状嵌合部の中心軸の方向も軸部材の回動支持部と同様に、長手方向と直角な方向と５°から２０°程度傾いていることが望ましい。このことによって折りたたみ状態では軸部材と羽部材は互いに並行になり、コンパクトになる。又、使用時にコイル状嵌合部を約９０°回転すると羽部材の羽の幅方向の角度は軸部材に対して５°から２０°程度傾くことになり軸部材の長手方向を回転軸として羽部材を振り回すように回転すると、この傾き角度によって効率よく風を起こすことが出来る。
【００１１】
羽部材の回動部を逆に９０°回転するとこの傾き角は逆になるので、逆回転で風を起こすようになる。従って左利きの人にも楽に使用してもらうことが出来る。因みに、扇子は左手で持つと広げるのが難しいものである。尚、材質、形状は実質的に同様の効果を得られるものであれば上記に限定するものではない。
【実施例１】
【００１２】
以下図について本発明の実施例について説明する。
図１は本発明の一実施例の平面図であり、図２はその側面図である。
図１、図２において、直径が２ｍｍ程度の弾性金属棒を素材とする軸部材１の一端にコイル状回動支持部２を設け、該回動支持部２の近傍と軸部材の他端にホルダー部材３、４を回転自在で、軸部材１の長手方向への移動を制限した状態で取り付け、前記コイル状回動支持部２にある程度の弾性変形によって嵌合するコイル状嵌合部５を有する羽部材６をねじ込んである。羽部材６の構造は周囲を弾性金属棒で形成し、羽部７には紙、プラスチックなどのシート状の膜で形成されている。軸部材１のコイル状の回動支持部２の中心軸の方向は軸部材１の長手方向と直角な方向に対して５°から２０°程度傾いていることが望ましい。又、コイル状回動支持部２とコイル状嵌合部５の嵌め合いはややきつく設定されており、コイル状回動支持部２が内側に少し撓むことによって適度のブレーキが掛かることとなる。
【００１３】
羽部材６のコイル状嵌合部５の中心軸の方向も軸部材１のコイル状回動支持部２と同様に、長手方向と直角な方向と５°から２０°程度傾いていることが望ましい。このことによって折りたたみ状態では軸部材１と羽部材６は互いに並行になり、コンパクトになる。
【００１４】
図３は本発明の一実施例の使用状態の平面図であり、図４はその側面図である。
使用時にコイル状嵌合部５を約９０°回転すると羽部材６の羽の幅方向の角度は軸部材に対して５°から２０°程度傾くことになり、軸部材１の長手方向を回転軸として矢印Ａの方向に羽部材６を振り回すように回転すると、羽部材６は矢印Ｂの方向に動き、この傾き角度によって矢印Ｃのごとく効率よく風を起こすことが出来る。
【００１５】
図５は、本発明の他の実施例の形状を示す平面図であり、図６はその側面図である。
図５において、羽部材１６の形状は先端で幅が広く形成されており、より多くの風を起こしやすくなっている。
又、図６において羽部材１６は僅かに上方に反った形となっている。このような形状とすることによって、風が羽部材１６の先端方向に逃げるのを防止して、より効率よく風を起こすことが出来る。
【００１６】
図７はコイル状回動支持部２の形状を示す拡大平面図である。
図７において、コイル状回動支持部２の先端部１２は直線的に引き伸ばしてある。羽部材６、１６を組立て後このように加工することによって使用時に不用意に羽部材６、１６のコイル状嵌合部５が外れるのを防止することが出来る。加工が簡単なためコストダウンの効果が大きい。
【００１７】
以上の説明で、本発明の実施例について述べたが、材質、形状についてはこれらの実施例に限定するものではない。金属以外の木材、竹、プラスチックを使用しても本発明の主旨を外れるものではない。プラスチックを使用した場合においては回動部の形状は自由に変更することが可能である。
又、２個のホルダー部材３、４を筒状にして一体化しても良い。更に、軸部材１と羽部材５の開き角度も９０°に限定するものではなく、使いやすい角度で使用すればよいことも言うまでもない。
【図面の簡単な説明】
【００１８】
【図１】本発明の一実施形態の構造を示す平面図である。
【図２】図１の側面図である。
【図３】本発明の一実施形態の使用状態を示す平面図である。
【図４】図３の側面図である
【図５】本発明の他の実施形態の構造を示す平面図である。
【図６】図５の側面図である
【図７】コイル状回動支持部２の形状を示す拡大平面図である。
【符号の説明】
【００１９】
１：軸部材
２：コイル状回動支持部
３：ホルダー部材
４：ホルダー部材
５：コイル状嵌合部
６：羽部材
７：羽部
１２：先端部
１６：羽部材
【図１】
2005270486.tif 000003
【図２】
2005270486.tif 000004
【図３】
2005270486.tif 000005
【図４】
2005270486.tif 000006
【図５】
2005270486.tif 000007
【図６】
2005270486.tif 000008
【図７】
2005270486.tif 000009